(57)【特許請求の範囲】
【請求項１】
津波の際に頭部に被って避難するための津波救命具において、通常時には手の平に収まるか、それよりやや大きい程度のサイズに収縮され、緊急時には人が装着して息を吹込む事により浮力支持可能な大きさに膨張させる事が出来るエアーバックを取付け、頭部を被う部分は、お椀形をした一体の透明樹脂で形成され、さらに津波救命具１７の外皮１６の上部にはホース取付口１８が取付けられ、ホース取付口１８の上口部には自在に曲がる事ができる樹脂性のエアーホース５が取付けられ、そのエアーホース５には空気取入・排気口１が取付けられ、空気取入・排気口１は、フロート４と、そのフロート４に取付けられた上部排気口２、吸気口３で構成され、フロート４は津波で避難する際に人が水中に水没した場合でも空気取込・排気口１が水面に浮かんで呼吸が出来るように発泡スチロールで作られ、さらに吸気口３には空気取入・排気口１が水没した際に水が津波救命具１７の内部に入ってこないように止水弁が取付けられると共に、上部排気口２には笛が内臓され、上部排気口２が水没した際に水が津波救命具１７の内部に入ってこないように止水弁が取付けられ、その止水弁には人間が津波救命具１７を装着して津波救命具１７の内部に息を吐き出して津波救命具１７を膨らませた際に、津波救命具１７の内部の空気が外に漏れないように、津波救命具１７の内部を一定の空気圧に保つための減圧弁が取付けられると共に、上部排気口２に接続されたホースと吸気口３に接続されたホースがエアーホース５内部を通り、ホース取付口１８の下口部に取付けられたエアーホース７の内部を経由して先端が口元の近くに配置され、さらに首回りエアーバック１００と津波救命具１１０の上部に取付ける頭部エアーバック１０９は密封された一本の略円筒形の形状で形成され、先端部には息を吹込むための息吹込口１０４が取付けられ、息吹込口１０４の内部には空気が逆流するのを防止するため自動開閉式の逆止弁が内臓され、息吹込口１０４の先端が、口部の近くに位置するように配置され、息吹込口１０４から伸びる首回りエアーバック１００は頤の下から後頭部を通って頭上部でＵ字形を描くように接着剤で外皮１０５内部に取付けられ、首回りエアーバック１００から伸びた頭部エアーバック１０９は反対側の後頭部を通り顎の下を通って先端部と重なり合うように密着させて配置するため、顔面と外皮１０５の間の津波救命具内部９８に空間ができ、津波救命具１７の内部への水の浸入を防止すると共に、首回りエアーバック１００の下には、人間が息吹込口１０３から息を吹込む事で浮き輪のように膨らみ、首回りと外皮１０５の両方に密着する樹脂製の首下部エアーバック１０１が配置された事を特徴とする津波救命具。
【発明の詳細な説明】
【技術分野】
【０００１】  本発明は、津波や洪水時に、頭部を含む身体全体が津波や洪水にのみ込まれて息が出来無くなる様な危機的状態に陥っても、頭部に装着して、頭部が水上に浮上する事により呼吸が可能となり、安全に避難する事が出来る津波救命具に関するものである。
【背景技術】
【０００２】  水害時に生命を保護するために、救命胴衣や浮輪等の救命用具が数々提案されており、その中でもライフジャケットは一般に周知されているが、平時に携帯する事は考慮されておらず、さらに外出時に津波等の水害に遭遇し、頭部が水中に水没して呼吸が出来なくなる様な事態にも対応していなかった。
【先行技術文献】
【特許文献】
【０００３】  従来から、津波や水害の避難時には、例えば特許文献１のように、ガスボンベとエアーバックを装着し、水難時には自動的に救命袋が膨らむ水難用救命具が発明されている
【特許文献１】特開平９−３０１２７２
【０００４】  さらに、特許文献２のように、携帯する事ができる携帯用救命浮袋も発明されている。
【特許文献２】特開平９−２４０５８４
【発明の概要】
【発明が解決しようとする課題】
【０００５】  しかしながら、上記したような水難用救命具の場合には、身体を水面に浮かべる事は出来たが、津波等の水害で避難する場合には、一時的に身体全体が水中に水没して水を多量に飲み込み気絶して死亡する場合が多く、従来の水難用救命具においては、頭部が水中に水没する事態を想定して作られていなかった。【０００６】  さらに、水難用救命具を使用する際に煩わしい動作を伴うため、身体への装着が正しい手順で行われないと、水難用救命具が機能どおりの能力を発揮出来なくなったり、使用中に救命具が身体から外れたりする事があり、不適切に使用すると人命に関わるといった問題があった。【０００７】  また、従来の水難用救命具は、サイズが大きくて重く、ふだん持ち歩くバック等に収納する事が出来ないため、外出先で津波等に遭遇した場合においては、その場で水難用救命具を装着して避難する事が出来なかった。【０００８】  本発明は、上記の問題の解決を図るもので、小型で持ち運びが簡単で小型バックの中にも収納でき、津波等の水害で避難する際に、頭部を水上へ浮上させると共に、頭部が水中に水没した場合でも呼吸する事が可能で、さらに頭部の保護が確実に出来る津波救命具を提供する事を目的とする。
【課題を解決するための手段】
【０００９】  かかる課題を解決するため、請求項１に記載の発明は、津波の際に頭部に被って避難するための津波救命具において、通常時には手の平に収まるか、それよりやや大きい程度のサイズに収縮され、緊急時には人が装着して息を吹込む事により浮力支持可能な大きさに膨張させる事が出来るエアーバックを取付け、頭部を被う部分は、お椀形をした一体の透明樹脂で形成され、さらに津波救命具１７の外皮１６の上部にはホース取付口１８が取付けられ、ホース取付口１８の上口部には自在に曲がる事ができる樹脂性のエアーホース５が取付けられ、そのエアーホース５には空気取入・排気口１が取付けられ、空気取入・排気口１は、フロート４と、そのフロート４に取付けられた上部排気口２、吸気口３で構成され、フロート４は津波で避難する際に人が水中に水没した場合でも空気取込・排気口１が水面に浮かんで呼吸が出来るように発泡スチロールで作られ、さらに吸気口３には空気取入・排気口１が水没した際に水が津波救命具１７の内部に入ってこないように止水弁が取付けられると共に、上部排気口２には笛が内臓され、上部排気口２が水没した際に水が津波救命具１７の内部に入ってこないように止水弁が取付けられ、その止水弁には人間が津波救命具１７を装着して津波救命具１７の内部に息を吐き出して津波救命具１７を膨らませた際に、津波救命具１７の内部の空気が外に漏れないように、津波救命具１７の内部を一定の空気圧に保つための減圧弁が取付けられると共に、上部排気口２に接続されたホースと吸気口３に接続されたホースがエアーホース５内部を通り、ホース取付口１８の下口部に取付けられたエアーホース７の内部を経由して先端が口元の近くに配置され、さらに首回りエアーバック１００と津波救命具１１０の上部に取付ける頭部エアーバック１０９は密封された一本の略円筒形の形状で形成され、先端部には息を吹込むための息吹込口１０４が取付けられ、息吹込口１０４の内部には空気が逆流するのを防止するため自動開閉式の逆止弁が内臓され、息吹込口１０４の先端が、口部の近くに位置するように配置され、息吹込口１０４から伸びる首回りエアーバック１００は頤の下から後頭部を通って頭上部でＵ字形を描くように接着剤で外皮１０５内部に取付けられ、首回りエアーバック１００から伸びた頭部エアーバック１０９は反対側の後頭部を通り顎の下を通って先端部と重なり合うように密着させて配置するため、顔面と外皮１０５の間の津波救命具内部９８に空間ができ、津波救命具１７の内部への水の浸入を防止すると共に、首回りエアーバック１００の下には、人間が息吹込口１０３から息を吹込む事で浮き輪のように膨らみ、首回りと外皮１０５の両方に密着する樹脂製の首下部エアーバック１０１が配置された事を特徴とする。
【発明の効果】
【００１８】  請求項１に記載の発明によれば、津波の際に頭部に被って避難するための津波救命具において、通常時には手の平に収まるか、それよりやや大きい程度のサイズに収縮され、緊急時には人が装着して息を吹込む事により浮力支持可能な大きさに膨張させる事が出来るエアーバックを取付け、頭部を被う部分は、お椀形をした一体の透明樹脂で形成され、さらに津波救命具１７の外皮１６の上部にはホース取付口１８が取付けられ、ホース取付口１８の上口部には自在に曲がる事ができる樹脂性のエアーホース５が取付けられ、そのエアーホース５には空気取入・排気口１が取付けられ、空気取入・排気口１は、フロート４と、そのフロート４に取付けられた上部排気口２、吸気口３で構成され、フロート４は津波で避難する際に人が水中に水没した場合でも空気取込・排気口１が水面に浮かんで呼吸が出来るように発泡スチロールで作られ、さらに吸気口３には空気取入・排気口１が水没した際に水が津波救命具１７の内部に入ってこないように止水弁が取付けられると共に、上部排気口２には笛が内臓され、上部排気口２が水没した際に水が津波救命具１７の内部に入ってこないように止水弁が取付けられ、その止水弁には人間が津波救命具１７を装着して津波救命具１７の内部に息を吐き出して津波救命具１７を膨らませた際に、津波救命具１７の内部の空気が外に漏れないように、津波救命具１７の内部を一定の空気圧に保つための減圧弁が取付けられると共に、上部排気口２に接続されたホースと吸気口３に接続されたホースがエアーホース５内部を通り、ホース取付口１８の下口部に取付けられたエアーホース７の内部を経由して先端が口元の近くに配置され、さらに首回りエアーバック１００と津波救命具１１０の上部に取付ける頭部エアーバック１０９は密封された一本の略円筒形の形状で形成され、先端部には息を吹込むための息吹込口１０４が取付けられ、息吹込口１０４の内部には空気が逆流するのを防止するため自動開閉式の逆止弁が内臓され、息吹込口１０４の先端が、口部の近くに位置するように配置され、息吹込口１０４から伸びる首回りエアーバック１００は頤の下から後頭部を通って頭上部でＵ字形を描くように接着剤で外皮１０５内部に取付けられ、首回りエアーバック１００から伸びた頭部エアーバック１０９は反対側の後頭部を通り顎の下を通って先端部と重なり合うように密着させて配置するため、顔面と外皮１０５の間の津波救命具内部９８に空間ができ、津波救命具１７の内部への水の浸入を防止すると共に、首回りエアーバック１００の下には、人間が息吹込口１０３から息を吹込む事で浮き輪のように膨らみ、首回りと外皮１０５の両方に密着する樹脂製の首下部エアーバック１０１が配置された事により、常にバック等の中に津波救命具を入れて外出していれば、例えば、地下鉄の構内で津波や洪水等の水害に遭遇して避難するような場合でも、直ちに津波救命具を装着する事が可能で、頭部を含む身体全体が津波や洪水等にのみ込まれて息が出来なくなる様な危機的状態に陥っても、水が鼻や口から大量に体内に入って窒息死するような事態を防ぐ事が可能となる。
【実施例１】
【００２７】  以下、この発明の実施の形態１について説明する。
［発明の実施の形態１］【００２８】  図１及至図４には、この発明の実施の形態１を示す。【００２９】  図１は、本発明の津波救命具を人間が頭部に装着した状態を、前方向（図１ａ）と横方向（図１ｂ）で示す。【００３０】  津波救命具１７の外皮１６は、人間の頭より少し大きな大きさで、お椀を逆さにした形状の透明樹脂で成形され、外皮１６の下部の首回りには、人が息吹込口８から息を吹込む事で浮き輪のように膨らみ、首と外皮１６の両方に密着する樹脂製の首上部エアーバック９が配置される。さらに首上部エアーバック９の下部にも、首上部エアーバック９と同様の形状をした首下部エアーバック１０が配置され、息吹込口１２から息を吹込む事により、首下部エアーバック１０は首と外皮１６の両方に密着した状態となる。【００３１】  なお、首上部エアーバック９は密封された略円筒形の形状で樹脂で成形されており、先端部には息を吹込むための息吹込口８が取付けられ、さらに息吹込口８の内部には空気が逆流するのを防止するため自動開閉式の逆止弁が内臓され、息吹込口８の先端の息吹込口が、口部の近くに位置するように配置される。さらに、首上部エアーバック９の先端部と後端部は、人間が津波救命具１７を装着した際に上下に重なり合うように取付けられて首回りと外皮１６を密着させ、津波救命具１７の内部へ水が浸入するのを防止する。【００３２】  首下部エアーバック１０も首上部エアーバック９と同様に構成され、首上部エアーバック９の下部に配置される。このように、首上部エアーバック９と首下部エアーバック１０を２重に配置する事により、津波救命具１７を装着する際や避難する際に、一方の、エアーバックが破損して使用不能となった場合でも、残りのエアーバックが津波救命具としての役目をはたし安全に避難できるようになった。【００３３】  さらに、津波救命具１７の外皮１６の上部にはホース取付口１８が取付けられ、ホース取付口１８の上口部には自在に曲がる事ができる樹脂性のエアーホース５が取付けられ、そのエアーホース５には空気取入・排気口１が取付けられる。【００３４】  空気取入・排気口１は、フロート４と、そのフロート４に取付けられた上部排気口２、吸気口３で構成され、フロート４は津波で非難する際に、人が水中に水没した場合でも空気取込・排気口１か水面に浮かんで呼吸が出来るように、発泡スチロールで作られている。さらに、吸気口３には空気取入・排気口１が水没した際に、水が津波救命具１７の内部に入ってこないように止水弁（図示せず）が取付けられると共に、上部排気口２には笛（図示せず）が内臓され、上部排気口２が水没した際に、水が津波救命具１７の内部に入ってこないように止水弁（図示せず）が取付けられ、その止水弁には人間が津波救命具１７を装着して津波救命具１７の内部に息を吐き出して津波救命具１７を膨らませた際に、津波救命具１７の内部の空気が外に漏れないように、津波救命具１７の内部を一定の空気圧に保つための減圧弁が取付けられると共に、上部排気口２に接続されたホース（図示せず）と吸気口３に接続されたホース（図示せず）がエアーホース５内部を通り、ホース取付口１８の下口部に取付けられたエアーホース７の内部を経由して先端（排気口１３、吸���口１４）が口元の近くに配置される。【００３５】  図２は、図１で説明した津波救命具１の内部の首回りに装着するベルト形エアーバック２０を示す。ベルト形エアーバック２０には首上部エアーバック９と首下部エアーバック１０が接着される。【００３６】  図２ａは、首上部エアーバック９と首下部エアーバック１０を、津波救命具１７に固定する前の平面状に開いた状態を示す。樹脂で作られた平板状のエアーバック固定ベルト２１の上部に首上部エアーバック９を接着剤で接着すると共に、下部には首下部エアーバック１０を接着剤で接着し、エアーバック固定ベルト２１の両端にはハトメ穴２２とハトメ穴２３を取付け、図２ｂで示すようにハトメ穴２２とハトメ穴２３に絞り紐２４を通して絞り紐２４を縛る事により、図２ｃで示すようにベルト形エアーバック２０は両端が重なり筒状の形状となる。【００３７】  このように構成されたベルト形エアーバック２０は、図１で説明した津波救命具１の外皮１６の下部に接着剤で固定され、津波救命具１を頭部に装着した後、絞り紐２４でエアーバック固定ベルト２１を、首上部エアーバック９と首下部エアーバック１０の両端を互いに上下に重なり合うように絞り込み、首上部エアーバック９と首下部エアーバック１０の両端から津波等による水が津波救命具１の内部に浸入しないように装着する。【００３８】  図３ａは、図１で説明した津波救命具１７の外皮１６の顔面下部に樹脂で作られたヒダ状の蛇腹２７を取付けた状態を示す。ヒダ状の蛇腹２７は上部を窄め、下部は開いた状態で構成され、外皮１６の顔面中央部から下部にかけて外皮１６を切り開き、その切り開いた部分に接着剤で接着され、ヒダ状の蛇腹２７の下部両端の外皮１６には、ヒダ状の蛇腹２７の下端を絞り込むための絞りバンド２５、絞りバンド２６が取付けられ、図３ｂで示すように、絞りバンド２５と絞りバンド２６を結束させて絞り込む事により外皮１６の下部が窄み、図１で説明した首上部エアーバック９、首下部エアーバック１０と外皮１６と首回りが密着して隙間が無くなり、津波等で避難する際に水が津波救命具１の内部に浸入しないようになる。【００３９】  図４は、図１で説明した津波救命具１７を折り畳んだ状態を示す。図４ａの津波救命具１７を点線３０で示したような位置で折り、人の手の平に収まるか、それよりやや大きい程度のサイズに折畳んだ状態を図４ｂで示す。図４ｃは、図４ｂで説明した折畳んだ状態３１の津波救命具を収納して持ち歩くための収納袋３３である。
【実施例２】
【００４０】  以下、この発明の実施の形態２について説明する。
［発明の実施の形態２］【００４１】  図５は、この発明の実施の形態２を示す。上記発明の実施の形態１では、図１において、首上部エアーバック９と首下部エアーバック１０の２個のエアーバックを津波救命具１７の下部の首回りに取付けていたのに対して、この発明の実施の形態２では、避難する際に津波の中の漂流部から頭部を保護するため、津波救命具５０の上部に頭部エアーバック３８を接着剤で外皮４６内側に取付け、頭部エアーバック３８と首上部エアーバック４２を接続エアーホース５２で接続し、息吹込口４１から首上部エアーバック４２に息を吹込む事により首上部エアーバック４２を膨らませた空気が、接続エアーホース５２を経由して頭部エアーバック３８を膨らませ、頭部の保護と同時に頭部（顔面）と外皮４６との間の津波救命具内部４０に隙間が出来て、避難する際、呼吸が楽に行えるようになると共に、目と外皮４６との間にも隙間が出来るため、良好な視界を確保する事が可能となる。【００４２】  さらに、図１においては、空気取入・排気口１がホース取付口１８とエアーホース５で接続され、頭部１５が水中に水没した際にも、空気取込・排気口１が水面上に浮き出て、吸気口３から空気を取り入れ呼吸出来るように構成されていたのに対して、この発明の実施の形態２では、空気取入・排気口５１は津波救命具５０の外皮４６の上部に固定して取付けられ、空気取入・排気口５１には上部排気口３６、吸気口３７が取付けられ、吸気口３７には空気取入・排気口５１が水没した際に、水が津波救命具５０の内部に入ってこないように止水弁（図示せず）が取付けられると共に、上部排気口３６には笛（図示せず）が内臓され、上部排気口３６が水没した際に、水が津波救命具５０の内部に入ってこないように止水弁（図示せず）が取付けられ、その止水弁には人間が津波救命具５０を装着して津波救命具５０の内部に息を吹き出し、津波救命具５０を膨らませた際に、津波救命具５０の内部の空気が外に漏れないように、津波救命具５０の内部を一定の空気圧に保っための減圧弁が取付けられると共に、上部排気口３６に接続されたホース（図示せず）と吸気口３７に接続されたホース（図示せず）がエアーホース３９内部を経由して先端（排気口４７、吸気口４８）が口元の近くに配置される。【００４３】  このように、空気取入・排気口５１を津波救命具５０の上部に固定して取付ける事により、津波等で頭部が水中に水没した際、この発明の実施の形態１の、図１で説明したエアーホース５に繋がれた空気取入・排気口１が漂流物等により破損する事態を防ぐと共に、津波救命具５０の上部に頭部エアーバック３８を接着剤で外皮４６内側に取付けた事により、避難する際に津波の中の漂流部から頭部を保護する事が可能となった。その他の構造やエアーバックの取付け方法は、この発明の実施の形態１と同様である。
【実施例３】
【００４４】  以下、この発明の実施の形態３について説明する。
［発明の実施の形態３］【００４５】  図６は、この発明の実施の形態３を示す。上記発明の実施の形態１では、図１において、首上部エアーバック９と首下部エアーバック１０の２個のエアーバックを津波救命具１７の下部に取付けていたのに対して、この発明の実施の形態２では、首回りのエアーバックを単体の首回りエアーバック６１にすると共に、避難する際に津波の中の漂流部から頭部を保護するため、津波救命具６８の上部に頭部エアーバック５８を接着剤で外皮６３内側に取付け、頭部エアーバック５８と首回りエアーバック６１を接続エアーホース７０で接続し、息吹込口６４から首回りエアーバック６１に息を吹き込んで首回りエアーバック６１を膨らませた空気が、接続エアーホース７０を経由して頭部エアーバック５８を膨らませ、避難する際に津波の中の漂流部から頭部を保護と同時に、頭部（顔面）と外皮６３との間の津波救命具内部６０に隙間ができて、避難する際、呼吸が楽に行えるようになると共に、目と外皮６３との間にも隙間が出来るため、良好な視界を確保する事が可能となる。【００４６】  このように、津波救命具６８の上部に頭部エアーバック５８を接着剤で外皮６３内側に取付けた事により、避難する際に津波の中の漂流部から頭部を保護する事が可能となると共に、首回りのエアーバックを一個としたため、費用の面でも安価に製造する事が可能となった。その他の構造やエアーバックの取付け方法は、この発明の実施の形態１と同様である。
【実施例４】
【００４７】  以下、この発明の実施の形態４について説明する。
［発明の実施の形態４］【００４８】  図７は、この発明の実施の形態４を示す。上記発明の実施の形態１では、図１において、首上部エアーバック９と首下部エアーバック１０の２個のエアーバックを津波救命具１７の下部に取付けていたのに対して、この発明の実施の形態４では、首回りエアーバック８１と津波救命具８８の上部に取付ける頭部エアーバック７８は密封された一本の略円筒形の形状で形成され、先端部には息を吹込むための息吹込口８４が取付けられ、さらに息吹込口８４の内部には空気が逆流するのを防止するため自動開閉式の逆止弁（図示せず）が内臓され、息吹込口８４の先端が、口部の近くに位置するように配置され、息吹込口８４から伸びる首回りエアーバック８１は耳の後ろを通って頭上部で円を描くように八の字状になるように接着剤で外皮８３内部に取付けられ、首回りエアーバック８１から伸びた頭部エアーバック７８は、つづいて反対側の耳の後ろを通り、先端部と重なり合うように密着させて配置される事により、顔面と外皮８３の間の津波救命具内部７９に仕切られた空間が構成され、津波等で避難する際、津波救命具１７の内部への水の浸入を防止する。その他の構造やエアーバックの取付け方法は、この発明の実施の形態１と同様である。
【実施例５】
【００４９】  以下、この発明の実施の形態５について説明する。
［発明の実施の形態５］【００５０】  図８は、この発明の実施の形態５を示す。上記発明の実施の形態１では、図１において、首上部エアーバック９と首下部エアーバック１０の２個のエアーバックを津波救命具１７の下部に取付けていたのに対して、この発明の実施の形態５では、首回りエアーバック１００と津波救命具１１０の上部に取付ける頭部エアーバック１０９は密封された一本の略円筒形の形状で形成され、先端部には息を吹込むための息吹込口１０４が取付けられ、さらに息吹込口１０４の内部には空気が逆流するのを防止するため自動開閉式の逆止弁（図示せず）が内臓され、息吹込口１０４の先端が、口部の近くに位置するように配置され、息吹込口１０４から伸びる首回りエアーバック１００は頤の下から後頭部を通って頭上部でＵ字形を描くように接着剤で外皮１０５内部に取付けられ、首回りエアーバック１００から伸びた頭部エアーバック１０９は反対側の後頭部を通り顎の下を通って先端部と重なり合うように密着させて配置するため、顔面と外皮１０５の間の津波救命具内部９８に空間ができ、津波救命具１７の内部への水の浸入を防止する。【００５１】  さらに、首回りエアーバック１００の下には、人間が息吹込口１０３から息を吹込む事で浮き輪のように膨らみ、首回りと外皮１０５の両方に密着する樹脂製の首下部エアーバック１０１が配置される。このように首回りエアーバック１０１と頭部エアーバック１０９が頭部の側面を経由して配置される事により、避難する際に津波の中の漂流物から頭部と側面を保護する事が可能となる。その他の構造やエアーバックの取付け方法は、この発明の実施の形態１と同様である。
【実施例６】
【００５２】  以下、この発明の実施の形態６について説明する。
［発明の実施の形態６］【００５３】  図９は、この発明の実施の形態６を示す。上記発明の実施の形態１では、図１において、首上部エアーバック９と首下部エアーバック１０を津波救命具１７の下部に配置して上下２段で首回りを巻き、首上部エアーバック９と首下部エアーバック１０の先端と後端が互いに上下に重なり合うように構成したが、この発明の実施の形態６では、首上部エアーバック１２９と津波救命具１４１の上部の外皮１３９内部に取付ける頭部エアーバック１２５は一体で形成され、首上部エアーバック１２９の先端部には息を吹込むための息吹込口１３５が取付けられ、さらに息吹込口１３５の内部には空気が逆流するのを防止するため自動開閉式の逆止弁（図示せず）が内臓され、息吹込口１３５の先端が、口部に近い位置するように配置され、頤下部から延びた首上部エアーバック１２９は後頭部から頭上部を経て頭上部でＵの字形になるように頭上に取付けられ、首上部エアーバック１２９から伸びた頭部エアーバック１２５は、反対側の後頭部を通り耳の下を経由して頤の下で、首下部エアーバック１２９の前中央部１３３で先端部と合致するように形成されると共に、首上部エアーバック１２９の形状は頤下部に首上部エアーバック１２９が食込むように太く形成され、頭上部の頭部エアーバック１２５は略円筒形状に形成される。【００５４】  さらに、首回りエアーバック１２９の下には、人間が息吹込口１２８から息を吹込む事で膨らみ、首回りと外皮１３９の両方に密着する樹脂製の首下部エアーバック１３０が配置される。このように首上部エアーバック１２９と頭部エアーバック１２５が頭部の側面を通って配置される事により、避難する際に津波の中の漂流物から頭部の側面を保護する事が可能となる。【００５５】  さらに、水中に水没した際に津波救命具１４２が頭部１３８から外れないように、津波救命具１４２の外皮１３９に腕の腋の下を通す肩紐１３１と肩紐１３４を取付けた事により、水中でも津波救命具１４２が頭部１３８から外れる事なく安全に避難する事が可能となる。その他の構造やエアーバックの取付け方法は、この発明の実施の形態１と同様である。
【実施例７】
【００５６】  以下、この発明の実施の形態７について説明する。
［発明の実施の形態７］【００５７】  図１０は、この発明の実施の形態７を示す。上記発明の実施の形態６では、図９において、首上部エアーバック１２９と頭部エアーバック１２５が一体となって形成されていたが、この発明の実施の形態７では、首上部エアーバック１５９と頭部エアーバック１５５が別々のエアーバックで構成され、接続エアーホース１５７により首上部エアーバック１５９と頭部エアーバック１５５が接続され首上部エアーバック１５９に息を吹込む事により頭部エアーバック１５５も同時に膨らむように構成されている。その他の構造やエアーバックの取付け方法は、この発明の実施の形態１と同様である。【００５８】  以上の実施の形態に基づいて、本発明に係る津波救命具について詳細に説明してきたが、本発明は、以上の実施の形態に限定されるものではなく、発明の趣旨を逸脱しない範囲において各種の改変をなしても、本発明の技術的範囲に属するのはもちろんである。【００５９】  図１の説明において、外皮１６の形状を、お椀を逆さにした形状と説明したが、外皮１６を製作する際に、外皮１６を透明樹脂で一体成形で製作する方法と、２枚の透明樹脂を接着剤でお椀形に接着して一体形状となるように製作する方法があるが、安価に製作でき、津波救命具が水没した際に水が津波救命具の内部に浸入しなければ、いずれの方法で製作する事も可能である。【００６０】  図１の説明において、首上部エアーバック９、首下部エアーバック１０の材質について樹脂で成形されると説明したが、材質については、収縮性のある樹脂や、ポリウレタン、ゴム製の素材を使用することも、もちろん可能である。【００６１】  図２の説明において、固定ベルト２１に首上部エアーバック９と首下部エアーバック１０を取付けると説明したが、首上部エアーバック９と首下部エアーバック１０を、直接、津波救命具１７の外皮１６に接着し、２本の絞り紐の一端を互いに外皮に接着し、絞り紐を絞る事により首上部エアーバック９と首下部エアーバック１０の両端を重ね合わせ、エアーバック９とエアーバック１０の両端から津波等による水が津波救命具１の内部に浸入しないように装着する事も、もちろん可能である。【００６２】  図２の説明において、首上部エアーバック９と首下部エアーバック１０の形状と配置について略円筒形の形状で、首上部エアーバック９と首下部エアーバック１０の位置を左右にずらした状態を表記したが、首上部エアーバック９と首下部エアーバック１０の形状と配置に関しては、これに限らず大きさ位置関係において最適な位置に配置する事が、もちろん可能である。
【図面の簡単な説明】
【００６３】
【図１】この発明の実施の形態１に係る、津波救命具を人が頭部に被った状態を、人の前方と横方向から見た状態を示す。
【図２】同実施の状態に係る、図１の津波救命具の内部の首回りに装着する上下エアーバックを、津波救命具に固定する前の平面状に開いた状態と丸めた状態で示す。
【図３】同実施の状態に係る、図１の津波救命具の顔面下部に取付ける、ヒダ状の蛇腹と、そのヒダ状の蛇腹を絞るための絞りバンドを示す。
【図４】同実施の状態に係る、図１の津波救命具を折り畳んだ状態を示す。
【図５】この発明の実施の形態２に係る、図１で示した津波救命具の頭上部にエアーバックを取付けた状態を示す。
【図６】この発明の実施の形態３に係る、図５で示した津波救命具の首回りのエアーバックを単品で形成した状態を示す。
【図７】この発明の実施の形態４に係る、図６で示した津波救命具の首回りのエアーバックと頭部回りのエアーバックを八の字状に一体形成した状態を示す。
【図８】この発明の実施の形態５に係る、図５で示した頭部エアーバックと首回りの上部エアーバックを一体で形成した状態を示す。
【図９】この発明の実施の形態６に係る、首上部エアーバックと頭部エアーバックを一体で形成するとともに、首上部エアーバックを前中央部で合体させ、さらに首下部エアーバックも前中央部で合体させ、津波救命具に肩紐を取付けた状態を示す。
【図１０】この発明の実施の形態７に係る、図９で示した頭部エアーバックと首上部エアーバックを接続エアーホースで接続した状態を示す。
【符号の説明】
【００６４】１                  空気取入・排気口
２                  上部排気口
３                  吸気口
４                  フロート
５                  エアーホース
６                  津波救命具内部
７                  エアーホース
８                  息吹込口
９                  首上部エアーバック
１０                首下部エアーバック
１１                身体
１２                息吹込口
１３                排気口
１４                吸気口
１５                頭部
１６                外皮
１７                津波救命具
１８                ホース取付口
２０                ベルト形エアーバック
２１                エアーバック固定ベルト
２２                ハトメ穴
２３                ハトメ穴
２４                絞り紐
２５                絞りバンド
２６                絞りバンド
２７                ヒダ状の蛇腹
３０                点線
３１                折畳んだ状態
３２                止め金具
３３                収納袋
３６                上部排気口
３７                吸気口
３８                頭部エアーバック
３９                エアーホース
４０                津波救命具内部
４１                息吹込口
４２                首上部エアーバック
４３                首下部エアーバック
４４                身体
４５                息吹込口
４６                外皮
４７                排気口
４８                吸気口
４９                頭部
５０                津波救命具
５１                空気取入・排気口
５２                接続エアーホース
５３                空気取入・排気口
５４                上部排気口
５５                吸気口
５６                フロート
５７                エアーホース
５８                頭部エアーバック
５９                エアーホース
６０                津波救命具内部
６１                首回りエアーバック
６２                身体
６３                外皮
６４                息吹込口
６５                排気口
６６                吸気口
６７                頭部
６８                津波救命具
６９                ホース取付口
７０                接続エアーホース
７３                空気取入・排気口
７４                上部排気口
７５                吸気口
７６                フロート
７７                エアーホース
７８                頭部エアーバック
７９                津波救命具内部
８０                エアーホース
８１                首回りエアーバック
８２                身体
８３                外皮
８４                息吹込口
８５                排気口
８６                吸気口
８７                頭部
８８                津波救命具
８９                ホース取付口
９３                空気取入・排気口
９４                上部排気口
９５                吸気口
９６                フロート
９７                エアーホース
９８                津波救命具内部
９９                エアーホース
１００              首回りエアーバック
１０１              首下部エアーバック
１０２              身体
１０３              息吹込口
１０４              息吹込口
１０５              外皮
１０６              排気口
１０７              吸気口
１０８              頭部
１０９              頭部エアーバック
１１０              津波救命具
１１１              ホース取付口
１２０              空気取入・排気口
１２１              上部排気口
１２２              吸気口
１２３              フロート
１２４              エアーホース
１２５              頭部エアーバック
１２６              エアーホース
１２７              サイドエアーバック
１２８              息吹込口
１２９              首上部エアーバック
１３０              首下部エアーバック
１３１              肩紐
１３２              身体
１３３              前中央部
１３４              肩紐
１３５              息吹込部
１３６              排気口
１３７              吸気口
１３８              頭部
１３９              外皮
１４０              津波救命具内部
１４１              ホース取付口
１４２              津波救命具
１５０              空気取入・排気口
１５１              上部排気口
１５２              吸気口
１５３              フロート
１５４              エアーホース
１５５              頭部エアーバック
１５６              エアーホース
１５７              接続エアーホース
１５８              息吹込口
１５９              首上部エアーバック
１６０              首下部エアーバック
１６１              肩紐
１６２              身体
１６３              前中央部
１６４              肩紐
１６５              息吹込口
１６６              排気口
１６７              吸気口
１６８              頭部
１６９              外皮
１７０              津波救命具内部
１７１              ホース取付口
１７２              津波救命具
【図１】
0005995166.tif 000002
【図２】
0005995166.tif 000003
【図３】
0005995166.tif 000004
【図４】
0005995166.tif 000005
【図５】
0005995166.tif 000006
【図６】
0005995166.tif 000007
【図７】
0005995166.tif 000008
【図８】
0005995166.tif 000009
【図９】
0005995166.tif 000010
【図１０】
0005995166.tif 000011